(57)【要約】【課題】軽量化を図りながらコンクリート躯体の上から下までの全領域にわたって確実な補強強度が得られるようにする。【解決手段】内部が中空に作られた上下に長いコンクリート躯体３内に、並列に配置された鉄筋９とアラミド繊維で作られたアラミドロッド１１とを締結金具によって結合した１組の組合せ補強材５を、周方向には所定の間隔でリング状に、上下方向にはコンクリート躯体３の上端から下端の全領域にわたって埋設する。【選択図】図１
2006188843.tif 000002
【特許請求の範囲】
【請求項１】
内部が中空に作られた上下に長いコンクリート躯体内に、並列に配置された鉄筋とアラミド繊維で作られたアラミドロッドとを締結金具によって結合した１組の組合せ補強材を、周方向には所定の間隔でリング状に、上下方向にはコンクリート躯体の上端から下端の全領域にわたって埋設したことを特徴とするコンクリート構造物。
【請求項２】
リング状に配置された組合せ補強材と組合せ補強材の間には、下端から上方へ向かって途中まで延長された所定長さの独立した鉄筋が埋設されていることを特徴とする請求項１記載のコンクリート構造物。
【請求項３】
前記組合せ補強材は、リング方向に沿って鉄筋とアラミドロッドとが並んだ向きの配置となっていることを特徴とする請求項１記載のコンクリート構造物。
【請求項４】
前記組合せ補強材は、鉄筋が外側、アラミドロッドが内側となる向きの配置となっていることを特徴とする請求項１記載のコンクリート構造物。
【発明の詳細な説明】
【技術分野】
【０００１】
本発明は、上下に長い電柱等に適するコンクリート構造物に関する。
【背景技術】
【０００２】
コンクリート構造物において例えば、電柱等にあっては、経年変化に対する対応や耐用年数の向上を図るために中空に作られた電柱の内部空間内に補強材となるロッドを所定の間隔で配置した後、内部をモルタル等の充填材で固める手段がとられている。
【特許文献１】特開２００４−９２３７６号公報
【発明の開示】
【発明が解決しようとする課題】
【０００３】
電柱の内部空間まで充填材で固める手段は経年変化や耐用年数の面で優れているが、反面、電柱自体１６ｍ近くあることと、しかも、コンクリート製のため重い上にさらに重くなる問題を有する。このために、撤去を含めて搬送ということを考えると軽い方が望ましい。
【０００４】
そこで、本発明は、軽量化が図れると共に、全領域にわたって確実な強度が得られるコンクリート構造物を提供することを目的としている。
【課題を解決するための手段】
【０００５】
前記目的を達成するために、本発明にあっては、内部が中空に作られた上下に長いコンクリート躯体内に、並列に配置された鉄筋とアラミド繊維で作られたアラミドロッドとを締結金具によって結合した１組の組合せ補強材を、周方向には所定の間隔でリング状に、上下方向にはコンクリート躯体の上端から下端の全領域にわたって埋設したことを特徴とする。
【発明の効果】
【０００６】
本発明によれば、内部が中空に形成されている点に加えて、組合せ補強材の一方を、鉄筋より大幅に軽いアラミド繊維でできたアラミドロッドを採用しているため、大幅な軽量化ができると共に搬送が容易となる。
【０００７】
また、引張りに強いアラミドロッドと鉄筋との組合せによる組合せ補強材によって中空に形成された上下に長いコンクリート躯体の上から下までの全領域にわたって確実な強度を確保することができると共に耐用年数の向上が図れる。
【発明を実施するための最良の形態】
【０００８】
第１には、リング状に配置された組合せ補強材と組合せ補強材の間に、下端から上方へ向かって途中まで延長された所定長さの独立した鉄筋を埋設することで、上方から下方へ向かって順次径が太くなるコンクリート躯体の全領域にわたって周方向にほぼ均一な間隔で補強材を確保する。
【０００９】
第２には、前記組合せ補強材を、リング方向に沿って鉄筋とアラミドロッドとが並んだ向きの配置とすることで、確実な埋設代を有して配置できるようにする。
【００１０】
第３には、前記組合せ補強材を、鉄筋が外側、アラミドロッドが内側となる向きの配置とすることで、周方向への占有スペースが小となり多数配置することができるようにする。
【実施例】
【００１１】
以下、図１乃至図５の図面を参照しながら本発明の実施形態について具体的に説明する。
【００１２】
図１はコンクリート構造物となる電柱の概要正面図、図２は電柱上部の一部分の拡大断面図、図３は電柱下部の一部分の拡大断面図をそれぞれ示している。
【００１３】
電柱１は内部が中空のコンクリート製で、上端から下端に向かって外径が順次太くなる形状で、一定の肉厚に作られている。
【００１４】
電柱１となるコンクリート躯体３内には組合せ補強材５と単独の補強材７がそれぞれ周方向に一定の間隔を有してリング状に配置されると共に組合せ補強材５は前記コンクリート躯体３の上から下までの全領域にわたって埋設されている。
【００１５】
組合せ補強材５は、鉄筋９と鉄筋９と並列に配置されたアラミド繊維で作られたアラミドロッド１１とで構成され、鉄筋９とアラミドロッド１１とは締結金具１３によって並列に並んだ一組の関係で一体に締結されている。締結金具１３は、鉄筋９とアラミドロッド１１とを抱持する締結バンド１５とその締結バンド１５を締付け固定するボルト１７，ナット１９とからなり、図４に示すように３点止めしたものを所定の間隔で配置された構造となっている。
【００１６】
組合せ補強材５となる並列に並んだ鉄筋９とアラミドロッド１１の向きは、周方向の向きとなっていて、内側と外側の埋設代ａ，ｂが十分に確保され、特に、引張りに強いとされるアラミドロッド１１と鉄筋の組合せによって、軽量化を図りながらコンクリート躯体３の上から下までの全領域にわたって確実な補強が確保されるようになっている。
【００１７】
この場合、鉄筋９とアラミドロッド１１との向きは、図５に示すように鉄筋９が外側、アラミドロッド１１が内側となる配置とすることも可能である。この実施形態の場合には周方向への占有スペース幅が小さくて済むため、周方向に沿ってリング状に多く埋設することが可能となる。
【００１８】
一方、単独の鉄筋７は、コンクリート躯体３の外径が下方へ向かって大きくなるところから、組合せ補強材５を上端において最適な間隔で配置したのにかかわらず、下側では図３に示すように組合せ補強材５から組合せ補強材５までの間隔が大きく開いてしまうところから、それを穴埋めするための手段となっている。
【００１９】
単独の鉄筋７は、長さの異なる第１、第２、第３の鉄筋７が用意され、組合せ補強材５と組合せ補強材５の間に図３に示すように埋設され、前記組合せ補強材５によってコンクリート躯体３のいずれの部位にあっても設計値に沿った強度が確保されるようになっている。
【００２０】
このように構成されたコンクリート躯体３によれば、内部が中空に形成されている点に加えて、組合せ補強材５の一方を鉄筋９より大幅に軽いアラミド繊維でできたアラミドロッド１１を採用しているため、全体の軽量化が図れる。この結果、搬送が容易となる。
【００２１】
また、組合せ補強材５によって中空に形成されたコンクリート躯体３の上から下までの全領域にわたって確実な強度が得られると共に、外径が大きくなる下半部も単独の鉄筋７によって確実な強度が確保されるようになる。
【００２２】
なお、この実施形態では、コンクリート構造物を電柱として説明したが、その他、杭等のコンクリート構造物に適用することも可能である。
【図面の簡単な説明】
【００２３】
【図１】本発明にかかるコンクリート構造物となる電柱の概要正面図。
【図２】図１のＡ−Ａ部の拡大断面説明図。
【図３】図１のＢ−Ｂ部の拡大断面説明図。
【図４】図１のＣ部の拡大断面説明図。
【図５】組合せ補強材の向きを外側と内側方向の向きとした図２と同様の拡大断面図。
【符号の説明】
【００２４】
１    電柱
３    コンクリート躯体
５    組合せ補強材
７    単独の補強材
９    鉄筋
１１    アラミドロッド
１３    締結金具
【図１】
2006188843.tif 000003
【図２】
2006188843.tif 000004
【図３】
2006188843.tif 000005
【図４】
2006188843.tif 000006
【図５】
2006188843.tif 000007